(57)【要約】【課題】フックの脱落が生じにくく、フックが斜めに取付けられにくく、見映えの良い、取付具付きフックを提供する。【解決手段】壁面５０（被取付面）に取付け可能に形成された取付具２と、取付具２に取付け可能に形成されたフック３と、が設けられている。そして、取付具２には、その外周面に嵌合部２０ａが設けられている。また、フック３は、取付具２を覆う中空部３ａが形成されていて、壁面５０に対して略直交する回転軸Ｍを中心に回転させることにより嵌合部２０ａに嵌合する被嵌合部３ｂが設けられている。【選択図】図４
2020062316.tif 000002
【特許請求の範囲】
【請求項１】
被取付面に取付け可能に形成された取付具と、
前記取付具に取付け可能に形成されたフックと、
を備え、
前記取付具は、その外周面に嵌合部を具備し、
前記フックは、前記取付具を覆う中空部が形成されて、前記被取付面に対して略直交する回転軸を中心に回転させることにより前記嵌合部に嵌合する被嵌合部を具備したことを特徴とする取付具付きフック。
【請求項２】
前記フックの前記中空部は、その内周面に、前記取付具に向けて回転軸方向に前記フックを移動させたときに前記嵌合部との当接を避ける凹部と、前記取付具に向けて回転軸方向に前記フックを移動させて前記凹部によって前記嵌合部との当接を避けた状態から前記フックを前記回転軸を中心に回転させることにより前記嵌合部に嵌合する前記被嵌合部と、を具備したことを特徴とする請求項１に記載の取付具付きフック。
【請求項３】
前記フックは、被吊下げ部材が吊下げられるフック部が、前記被取付面に接する面から形成されたことを特徴とする請求項１又は請求項２に記載の取付具付きフック。
【請求項４】
前記フックは、被吊下げ部材が吊下げられるフック部に、角部が形成されていないことを特徴とする請求項１〜請求項３のいずれかに記載の取付具付きフック。
【請求項５】
形状と色と材質とのうち少なくとも１つが異なる前記フックを前記取付具に着脱可能に構成したことを特徴とする請求項１〜請求項４のいずれかに記載の取付具付きフック。
【請求項６】
前記取付具は、複数のピン釘を前記被取付面に対して放射状にそれぞれ異なる方向に傾斜して打ち込み可能な複数のピン穴が形成された取付具本体を、周状に複数配列して保持可能に形成されたことを特徴とする請求項１〜請求項５のいずれかに記載の取付具付きフック。
【請求項７】
前記複数の取付具本体をそれぞれ保持する複数の凹状部が形成されていない部分に、複数の釘を前記被取付面に対して略直交する方向に打ち込み可能な複数の釘穴が形成されたことを特徴とする請求項６に記載の取付具付きフック。
【請求項８】
前記取付具は、前記回転軸の周りに複数のピン釘を前記被取付面に対して放射状にそれぞれ異なる方向に傾斜して打ち込み可能な複数のピン穴と、前記複数のピン穴が形成されていない部分に複数の釘を前記被取付面に対して略直交する方向に打ち込み可能な複数の釘穴と、が形成されたことを特徴とする請求項１〜請求項５のいずれかに記載の取付具付きフック。
【請求項９】
前記取付具に対する前記フックの回転方向の位置が定まるように、前記取付具に対する前記フックの前記回転軸を中心にした回転を規制する規制手段を備え、
前記フックに所定値以上の回転力が付与されたときには、前記規制手段の規制に抗するように前記取付具に対して前記フックが前記回転軸を中心に回転するように構成されたことを特徴とする請求項１〜請求項８のいずれかに記載の取付具付きフック。
【請求項１０】
前記規制手段は、
前記フックの前記中空部の内周面に形成された略半球状の突起部又は穴部と、
前記取付具の前記外周面において前記突起部又は前記穴部が咬合するように周状に間隔をあけて形成された複数の略半球状の咬合部と、
であることを特徴とする請求項９に記載の取付具付きフック。
【発明の詳細な説明】
【技術分野】
【０００１】
この発明は、石膏ボードやコンクリート壁面などの被取付面に取付られて、衣類や鞄などの被吊下げ部材を吊下げるための取付具付きフックに関するものである。
【背景技術】
【０００２】
従来から、被取付面に取付具を釘などで固定して取り付けて、その取付具を介してフックを取付けたものが知られている（例えば、特許文献１参照。）。
【０００３】
詳しくは、特許文献１では、壁などの被取付面に、ベース板（取付具）が釘や両面テープなどによって固定されている。そして、そのように被取付面に固定されたベース板の一部が隠れるように、座部上にフックが形成された取付具本体がベース板に被せられ係止されている。
【０００４】
他方、特許文献２には、複数本のピン釘が、被取付面に対して傾斜し、かつ、取付具本体を中心として放射状に打ち込まれるように構成された取付具が開示されている。
【発明の概要】
【発明が解決しようとする課題】
【０００５】
従来の技術は、被取付面に固定した取付具（ベース板）にフック（取付具本体）を被せるように設置しているため、取付具からフックが脱落しやすかった。特に、重量のある被吊下げ部材がフックに吊下げられる場合には、その重さでフックの脱落が生じやすくなっていた。
また、従来の技術は、被取付面に対して取付具（ベース板）が真直ぐ固定されずに斜めに固定されてしまうと、フック（取付具本体）も同じように斜めに取付けられてしまっていた。
さらに、従来の技術は、取付具（ベース板）にフック（取付具本体）を被せるように設置しているものの、被取付面に固定した取付具の一部が露呈してしまい、見映えが悪かった。
【０００６】
この発明は、上述のような課題を解決するためになされたもので、フックの脱落が生じにくく、フックが斜めに取付けられにくく、見映えの良い、取付具付きフックを提供することにある。
【課題を解決するための手段】
【０００７】
この発明における取付具付きフックは、被取付面に取付け可能に形成された取付具と、前記取付具に取付け可能に形成されたフックと、を備え、前記取付具は、その外周面に嵌合部を具備し、前記フックは、前記取付具を覆う中空部が形成されて、前記被取付面に対して略直交する回転軸を中心に回転させることにより前記嵌合部に嵌合する被嵌合部を具備したものである。
【発明の効果】
【０００８】
本発明によれば、フックの脱落が生じにくく、フックが斜めに取付けられにくく、見映えの良い、取付具付きフックを提供することができる。
【図面の簡単な説明】
【０００９】
【図１】この発明の実施の形態における取付具付きフックが壁面に取付けられた状態を示す側面図である。
【図２】取付具が壁面に取付けられた状態を示す斜視図である。
【図３】フックを示す斜視図である。
【図４】壁面に取付けられた取付具にフックが取付けられる動作を示す図である。
【図５】（Ａ）フックの被嵌合部が取付具の嵌合部に嵌合していない状態を側方から示す断面図と、（Ｂ）フックの被嵌合部が取付具の嵌合部に嵌合した状態を側方から示す断面図と、である。
【図６】（Ａ）フックの被嵌合部が取付具の嵌合部に嵌合していない状態を正面側からから示す断面図と、（Ｂ）フックの被嵌合部が取付具の嵌合部に嵌合した状態を正面側から示す断面図と、である。
【図７】（Ａ）取付具の中継部材に取付具本体がセットされた状態を示す断面図と、（Ｂ）取付具本体に石膏ボード用のピン釘がセットされた状態を示す正面図と、である。
【図８】取付具の中継部材にコンクリート壁面用の釘がセットされた状態を示す断面図と、
【図９】従来の取付具付きフックを示す図である。
【図１０】変形例１としての、取付具が壁面に取付けられた状態を示す斜視図である。
【図１１】変形例２としての、フックを示す斜視図である。
【図１２】変形例３としての、（Ａ）フックの被嵌合部が取付具の嵌合部に嵌合していない状態を正面側からから示す断面図と、（Ｂ）フックの被嵌合部が取付具の嵌合部に嵌合した状態を正面側から示す断面図と、である。
【発明を実施するための形態】
【００１０】
以下、この発明を実施するための形態について、図面を参照して詳細に説明する。なお、各図中、同一又は相当する部分には同一の符号を付しており、その重複説明は適宜に簡略化ないし省略する。
【００１１】
まず、図１〜図３を用いて、本実施の形態における取付具付きフック１の全体的な構成・動作について説明する。
図１は、取付具付きフック１が、被取付面としての壁面５０（壁部）に取付けられた状態を側方から示す図である。
図１に示すように、取付具付きフック１は、主として取付具２とフック３とからなり、フック３が取付具２を介して壁面５０に固定されるように構成されている。すなわち、取付具２は、被取付面（壁面５０）に取付け可能に形成されていて、フック３は、取付具２に取付け可能に形成されている。
そして、取付具付きフック１のフック３に、衣類や鞄などの被吊下げ部材１００が吊下げられることになる。
【００１２】
なお、図１では、被吊下げ部材１００として衣類（例えば、コートなどである。）の襟の部分が、フック３に掛けられた状態を模して図示している。フック３（取付具付きフック１）に掛けられる吊下げ部材１００は、衣類に限定されることなく、鞄や帽子やハンガーなど種々のものが対象になる。
また、図１における壁面５０（被取付面）は、一般的な建物の室内の壁面として利用される石膏ボードやコンクリート壁面であって、壁紙などが貼着されたものも含む。しかし、取付具付きフック１が取付けられる被取付面は、そのような壁面５０に限定されることなく、例えば、屋外の壁面など種々のものが対象になる。
また、本実施の形態では、フック３や取付具２（金属材料からなるピン釘２２や釘２３は除く。）が、いずれも、樹脂材料で形成されている。
【００１３】
ここで、図２等を参照して、取付具２には、その外周面に嵌合部２０ａが設けられている。
詳しくは、取付具２は、中継部材２０や、４つの取付具本体２１（及び、ピン釘２２）などで構成されている。取付具２の中継部材２０は、略円柱状に形成されていて、その外周面の２箇所（１８０度ずれて対向する位置である。）にそれぞれ嵌合部２０ａが形成されている。嵌合部２０ａは、取付具２の外周面から径方向（外側）に同心円状に突出するように形成されている。また、嵌合部２０ａは、中継部材２０の円柱部の肉厚よりも薄い肉厚で形成されている
そして、本実施の形態では、２つの嵌合部２０ａが上下方向に向くように、取付具２が壁面５０に取付け固定されることになる。そのような取付具２の取付方向については、取付具２に目印をつけたり、取付説明書に明記したりすることができる。
なお、取付具２の壁面へ５０の取付け方法については、後でさらに詳しく説明する。
【００１４】
そして、図３、図４（Ａ）等を参照して、フック３には、取付具２を覆う中空部３ａが形成されている。
詳しくは、フック３には、壁面５０（被取付面）に接する当接面の側から内部の側に向けて凹んだ略円柱状の中空部３ａが形成されている。中空部３ａの深さは、取付具２の肉厚（高さ）と同等であるか、それよりも僅かに長くなるように設定されている。
そして、壁面５０上において取付具２にフック３が取付けられると、図１、図４（Ｃ）に示すように、この中空部３ａの中に取付具２がすっぽり入り込んで、取付具２の全部がフック３に覆われて露呈しないことになる。そのため、壁面５０に取付けられた取付具付きフック１は、デザイン性に優れたフック３のみが露呈することになり、取付具が露呈したものに比べて、見映えが良くなる。
【００１５】
そして、図３、図５、図６に示すように、フック３には、壁面５０（被取付面）に対して略直交する回転軸Ｍ（図４（Ｂ）参照）を中心に回転させることにより取付具２の嵌合部２０ａに嵌合する被嵌合部３ｂが設けられている。
詳しくは、被嵌合部３ｂは、フック３の中空部３ａにおいて、壁面５０に接する当接面の側で、内周面から径方向（内側）に同心円状に突出するように形成されている。被嵌合部３ｂは、取付け部２の嵌合部２０ａに合わせて、中空部３ａの内周面の２箇所（１８０度ずれて対向する位置である。）にそれぞれ形成されている。また、被嵌合部３ｂは、その肉厚が、壁面５０に設置された取付具２の嵌合部２０ａと壁面５０との隙間と同等であるか、それよりも僅かに薄くなるように設定されている。また、２つ被嵌合部３ｂの内径（互いの内周部の離間距離）は、２つの嵌合部２０ａの外径（互いの外周部の離間距離）よりも短くなるように設定されている。また、被嵌合部２ｂの周方向の範囲は、嵌合部２０ａの周方向の範囲よりも充分に長くなるように設定されている。
【００１６】
そして、図４（Ａ）に示すように、壁面５０に固定された状態の取付具２に対して、側方に約９０度回転させた姿勢のフック３を、取付具２が中空部３ａに覆われるように白矢印方向に移動する。そして、図４（Ｂ）に示すように、取付具２にセットしたフック３（壁面５０に軽接触又は微小に離間した状態である。）を回転軸Ｍを中心に約９０度回転させて、フック３の被嵌合部３ｂを取付具２の嵌合部２０ａに嵌合させて、図４（Ｃ）に示すように取付具付きフック１の取付け（固定）が完了することになる。
また、取付具２に取付けたフック３を取付具２から取り外すときには、図４（Ａ）〜（Ｃ）で説明した組付け時の手順とは逆の手順で作業がおこなわれることになる。
【００１７】
ここで、図３、図５、図６に示すように、フック３の中空部３ａの内周面には、被嵌合部３ｂの他に、凹部３ｃ（逃げ部）が設けられている。
この凹部３ｃは、図４（Ａ）に示すように、取付具２に向けて回転軸方向（白矢印方向）にフック３を移動させたときに、嵌合部２０ａとの当接を避けるためのものである。
詳しくは、図３、図５、図６に示すように、凹部３ｃは、フック３の中空部３ａにおいて、壁面５０に接する当接面の側から中空部３ａの内周面に沿うように形成されている。凹部３ｃは、被嵌合部３ｂが形成されていない周方向の２箇所の領域（１８０度ずれて対向する位置であって、嵌合部２０ａの周方向の領域よりも僅かに広い領域である。）に形成されている。また、凹部３ｃは、その深さが、中空部３ａの深さと同等に形成されている。また、対向する２つ凹部３ｃの内径（互いの内周部の離間距離）は、２つの嵌合部２０ａの外径（互いの外周部の離間距離）よりも長くなるように設定されている。
【００１８】
このような構成により、図４（Ａ）、（Ｂ）に示すように、側方に約９０度回転させた姿勢のフック３を白矢印方向に手動で移動して、壁面５０上の取付具２にセットしたときに、図５（Ａ）、図６（Ａ）に示すように、取付具２の嵌合部２０ａにフック３の被嵌合部３ｂが衝突しないことになる。そして、その状態からフック３を矢印方向に手動回転することで、図５（Ｂ）、図６（Ｂ）に示すように、取付具２の嵌合部２０ａにフック３の被嵌合部３ｂが嵌合して、図１、図４（Ｃ）に示すように、取付具付きフック１の組付けが完了して壁面５０に取付具付きフック１が固定されることになる。すなわち、取付具２に向けて回転軸方向（図４（Ａ）の白矢印方向）にフック３を移動させて凹部３ｃによって嵌合部２０ａとの被嵌合部３ｂの当接を避けた状態から、フック３を回転軸Ｍを中心に回転させることにより、被嵌合部３ｂが嵌合部２０ａに嵌合することになる。
なお、取付け部２にセットされたフック３を回転軸Ｍを中心に手動回転させるときの抵抗は、手動回転が充分に可能な程度のものであるとともに、手動回転を停止したときにフック３が回転停止してその回転位置を維持できる程度のものであって、主として被嵌合部３ｂと嵌合部２０ａとの嵌合の度合いを最適化することで調整している。
【００１９】
このように、本実施の形態における取付具付きフック１は、取付具２の嵌合部２０ａに対してフック３の被嵌合部３ｂがしっかりと嵌合した状態で組付けられるため、ある程度重量のある被吊下げ部材１００がフック３に吊下げられた場合であっても、取付具２からのフック３の脱落が生じにくくなる。特に、本実施の形態では、取付具付きフック１の上下方向で被嵌合部３ｂと嵌合部２０ａとが嵌合するように構成しているため、被吊下げ部材１００の重量によって、壁面５０に接するフック３の下端を支点としてフック３が脱落するような不具合を充分に軽減することができる。
したがって、ユーザーは、ストレスなどなく、取付具付きフック１に被吊下げ部材１００を吊下げることができる。特に、被吊下げ部材１００としての衣類や鞄などは、取付具付きフック１への吊下げと取り外しとが頻繁に繰り返しおこなわれる可能性が高いため、このような脱落がなく強度の高い取付具付きフック１が有用になる。
これらのことは、取付具２がある程度小径であったり薄肉であったりしても、フック３をある程度強固に保持することができることも意味することになる。そのため、取付具２を中空部３ａに収納するように形成されたフック３の形状の制約も少なくなって、例えば、フック３が壁面５０から離れる方向に斜め上方に急激に立ち上がるなど、フック３の形状の自由度を高めることができる。
【００２０】
また、本実施の形態における取付具付きフック１は、取付具２に対してフック３が壁面５０に沿うように回転されて組付けられるため、壁面５０に対して取付具２が真直ぐに固定されずに多少斜めに固定されてしまっても、フック３の回転時の姿勢を調整することで、フック３を傾けずに真直ぐ固定することができる。すなわち、取付具２の回転方向の取付精度にほとんど依存することなく、フック３を回転方向に精度良く組付けることができる。したがって、ユーザーが取付具２を壁面５０に固定するときに、回転方向の取付精度に細心の注意をはらう必要もなく、その作業が容易になる。
また、本実施の形態における取付具付きフック１は、先に説明したように、取付具２の全部がフック３に覆われた状態で組付けられるため、その見映えが良くなる。
【００２１】
すなわち、図９に示す従来の取付具付きフック１１０は、壁面５０に固定した取付具１１１の突出部１１１ａにフック１１２の座部１１２ａを被せるように設置しているため、取付具１１１からフック１１２が図９（Ａ）の矢印方向に脱落しやすかった。
また、従来の取付具付きフック１１０は、図９（Ｂ）に示すように、壁面に対して取付具１１１が真直ぐ固定されずに斜めに固定されてしまうと、フック１１２も同じように斜めに取付けられてしまっていた。
さらに、従来の取付具付きフック１１０は、図９（Ａ）に示すように、壁面５０に固定した取付具１１１の一部が露呈してしまい、見映えが悪かった。
これに対して、本実施の形態における取付具付きフック１は、上述したように、それらの不具合をそれぞれ軽減することができる。
【００２２】
ここで、本実施の形態における取付具付きフック１は、形状と色と材質とのうち少なくとも１つが異なるフック３を取付具２に着脱可能（交換可能）に構成されている。
先に図４（Ａ）〜（Ｃ）を用いて説明したように、フック３は、取付具２に対して手動回転によって着脱されるものである。そのため、壁面５０に取付具２を固定した状態で、既設のフック３を取り外して、中空部３ａの構造が共通化された別のフック３を代わりに取付けることが可能になる。
したがって、ユーザーの用途や好みに合わせて、形状や色や材質の異なるフック３を取付具２に自由に付け替えることが可能になる。
【００２３】
ここで、図３を参照して、本実施の形態におけるフック３は、被吊下げ部材１００が吊下げられるフック部３ｄ（図３にてハッチングにて示した部分である。）が、壁面５０（被取付面）に接する面から形成されている。
すなわち、本実施の形態におけるフック３は、図９に示す従来のフック１１２のように座部１１２ａ（フック部として機能しない部分である。）が形成されておらず、壁面５０に組付けられた状態で露呈する部分の全部がフック部３ｄとなるように構成されている。
そのため、壁面５０とフック３との一体感や、壁面５０からフック３が生え出たような特殊なデザイン性を得ることができる。
【００２４】
また、図３を参照して、本実施の形態におけるフック３は、被吊下げ部材１００が吊下げられるフック部３ｄに、角部（エッジ部）が形成されていない。
すなわち、本実施の形態におけるフック３は、図９に示す従来のフック１１２のように角部が形成されておらず、壁面５０に接する部分以外のフック部３ｄが曲面のみで形成されている。
そのため、フック部３ｄに被吊下げ部材１００を吊下げたり取り外したりするときに、被吊下げ部材１００がフック部３ｄに引っ掛かってキズつく不具合が生じにくくなる。また、人がフック部３ｄに触って怪我をする不具合も生じにくくなる。
【００２５】
さらに、図１、図３に示すように、フック３（壁面５０に取付けられた状態のものである。）は、その上面が、壁面５０から離間するにつれて上方に位置するようにカーブ状に形成されている。また、そのようにフック３の上面が描くカーブは、フック部３ｄに吊下げられた被吊下げ部材１００が、その重力によってフック部３ｄから脱落しない程度のものである。また、そのようなフック３の上面の形状に合わせて、その他の面が調和するような曲面で形成されている。換言すると、フック３は、「天狗の鼻」のような形状をしている。すなわち、フック３は、全体として、先端が半球状のこん棒が壁面５０から離れる方向に斜め上方に隆起するような形状をしている。
【００２６】
ここで、図２、図７を参照して、本実施の形態における取付具２は、複数の取付具本体２１（本実施の形態では、４つの取付具本体２１である。）を周状に配列して保持可能に形成されている。取付具本体２１には、複数のピン釘２２（本実施の形態では、３本のピン釘２２である。）を壁面５０（被取付面）に対して放射状にそれぞれ異なる方向に傾斜して打ち込み可能な複数のピン穴２１ａ（本実施の形態では、３つのピン穴２１ａである。）が形成されている。
【００２７】
詳しくは、取付具２は、３つのピン穴２１ａがそれぞれ形成された４つの取付具本体２１と、４つの取付具本体２１をそれぞれ保持する４つの凹状部２０ｂが形成された中継部材２０と、などからなる。
中継部材２０は、先に説明したように、略円柱状に形成されていて、その外周面の２箇所にそれぞれ嵌合部２０ａが形成されている。また、その略円柱状の中継部材２０には、その中心から離れた位置に、周方向に等間隔に凹状部２０ｂが４つ形成されている。そして、その凹状部２０ｂに、図７に示すように、取付具本体２１が嵌め込まれて、取付具本体２１のピン穴２１ａと、凹状部２０ｂの底部に形成された貫通穴と、を介して、ピン釘２２が壁面５０に打ち込まれる。図２、図７の例では、壁面５０は石膏ボード（表面に壁紙が貼られたものも含む。）であって、ピン釘２２は石膏ボード用の釘である。
【００２８】
図７（Ａ）に示すように、ピン穴２１ａは、壁面５０に対して垂直ではなくて傾斜するように形成されている。そして、図７（Ｂ）において破線矢印で示すように、３つのピン穴２１ａの傾斜方向は、それぞれ異なり、取付具本体２１の中心近傍に向かうようになっている。そして、このように形成された３つのピン穴２１ａを介して壁面５０に打ち込まれるピン釘２２は、互いにぶつかることなく、互いにネジレの関係で交差することになる。そのため、壁面５０としての石膏ボードに取付具２が強固に固定されることになる。
特に、本実施の形態では、複数の取付具本体２１が周状に配列されて、それぞれの取付具本体２１を用いて複数のピン釘２２が壁面５０に打ち込まれている。そのため、取付具２が全体として、周方向のあらゆる方向にも強い力で固定されることになる。すなわち、壁面５０に固定された取付具２（取付具付きフック１）に、上下方向の力の他に、左右方向などその他の方向の力が作用しても、壁面から取付具２が外れてしまう不具合が生じにくくなる。
【００２９】
ここで、図２、図８を参照して、本実施の形態における取付具２は、複数の取付具本体２１をそれぞれ保持する複数の凹状部２０ｂが形成されていない部分に、複数の釘２３を壁面５０（被取付面）に対して略直交する方向に打ち込み可能な複数の釘穴２０ｃが形成されている。
詳しくは、中継部材２０において、周状に配列された４つの凹状部２０ｂの、隣接する凹状部２０ｂと凹状部２０ｂとの間にそれぞれ釘穴２０ｃ（４つの釘穴２０ｃ）が形成され、さらに中心位置に１つの釘穴２０ｃが形成されている。これらの５つの釘穴２０ｃは、いずれも、壁面５０に対して略直交するように形成されている。そのため、このような釘穴２０ｃを介して壁面５０に打ち込まれた釘２３は、図８に示すように、壁面５０に対して真直ぐな姿勢になる。
このように釘穴２０ｃを用いて釘２３を壁面５０に真直ぐに打ち込む場合としては、壁面５０がコンクリート壁面（表面に壁紙が貼られたものも含む。）であって、釘２３はコンクリート壁面用の釘となる。コンクリート壁面は、石膏ボードに比べて硬質なため、コンクリート壁面用の硬質な釘２３を真直ぐ打ち込むことが必要になる。また、このような場合には、取付具２において取付具本体２１（及び、ピン釘２２）は不要になり、中継部材２０のみで取付具２を構成することが可能になる。
このように、壁面５０の材質に応じて、取付具２の構成を変更して最適化することができるように構成することで、ユーザーにとっての利便性が高められることになる。
【００３０】
＜変形例１＞
図１０は、変形例１としての取付具２が壁面５０に取付けられた状態を示す斜視図であって、本実施の形態における図２に対応する図である。
変形例１における取付具２は、取付具本体３０とピン釘２２（又は、釘２３）とで構成されている点が、取付具２が中継部材２０と取付具本体２１とピン釘２２（又は、釘２３）とで構成されている本実施の形態のものと相違する。
図１０に示すように、変形例１における取付具２（取付具本体３０）は、回転軸Ｍ（図４参照）の周りに複数のピン釘２２（石膏ボード用釘）を壁面５０（被取付面）に対して放射状にそれぞれ異なる方向に傾斜して打ち込み可能な複数のピン穴３０ｄと、その複数のピン穴３０ｄが形成されていない部分に複数の釘２３（コンクリート壁面用釘）を壁面５０に対して略直交する方向に打ち込み可能な複数の釘穴３０ｃと、が形成されている。
詳しくは、取付具本体３０には、壁面５０に対して傾斜する３つのピン穴３０ｄが周状に形成されている。そして、３つのピン穴３０ｄを介して壁面５０に打ち込まれるピン釘２２は、互いにぶつかることなく、互いにネジレの関係で交差することになる。壁面５０が石膏ボードである場合に、このようなピン穴３０ｄを介して壁面５０にピン釘２２が打ち込まれる。
また、取付具本体３０には、壁面５０に対して略直交する４つの釘穴３０ｃが形成されている。４つの釘穴３０ｃのうち、３つの釘穴３０ｃは隣接するピン穴３０ｄとピン穴３０ｄとの間にそれぞれ形成され、１つの釘穴３０ｃは中心位置に形成されている。そして、４つの釘穴３０ｃを介して壁面５０に打ち込まれる釘２３は、いずれも壁面５０に対して略垂直に打ち込まれることになる。壁面５０がコンクリート壁面である場合に、このような釘穴３０ｃを介して壁面５０に釘２３が打ち込まれる。
また、取付具本体３０の外周面には、対向する２箇所にそれぞれ嵌合部３０ａが形成されている。この嵌合部３０ａは、本実施の形態における嵌合部２０ａと同じように機能するものである。
変形例１のように取付具２を構成した場合であっても、本実施の形態のものと同様の効果を得ることができる。特に、変形例１では、ピン釘２２（又は、釘２３）の数が少なくなるため、本実施の形態のものに比べると壁面５０に対する取付強度が低くなりやすくなるものの、その取付性は向上することになる。
【００３１】
＜変形例２＞
図１１は、変形例２としてのフック３を示す斜視図であって、本実施の形態における図３に対応する図である。
変形例２におけるフック３は、本実施の形態のものと中空部３ａ（被嵌合部３ｂや凹部３ｃが形成されている。）の構造が同じであるが、フック部３ｄの形状が本実施の形態のものと相違する。
図１１に示すように、変形例２におけるフック３は、その上面が平面に近い形状になっていて、全体的に「舌」を斜め上方に突き出したような形状をしている。このような形状のフック３は、鞄の肩掛けベルト（肩掛け紐）などを引っ掛けるのに適している。そして、このような形状のフック３は、本実施の形態におけるフック３の代わりに、壁面５０に設置された取付具２に取付けることができる。
そのため、ユーザーの用途や好みに合わせて、形状（又は、色や材質）の異なるフック３を取付具２に自由に付け替えることが可能になる。
【００３２】
＜変形例３＞
図１２（Ａ）は、変形例３としてのフック３の被嵌合部３ｂが取付具２の嵌合部２０ａに嵌合していない状態を正面側からから示す断面図であって、図１２（Ｂ）は、そのフック３の被嵌合部３ｂが嵌合部２０ａに嵌合した状態を正面側から示す断面図であって、それぞれ本実施の形態における図６（Ａ）、（Ｂ）に対応する図である。
変形例３における取付具付きフック１には、本実施の形態のものとは異なり、取付具２に対してフック３の回転方向の位置決めをするための規制手段としての穴部３ｅ及び咬合部２０ｅ１〜２０ｅ３が設けられている。
この穴部３ｅ及び咬合部２０ｅ１〜２０ｅ３は、取付具２に対するフック３の回転方向の位置が定まるように、取付具２に対するフック３の回転軸Ｍを中心にした回転を規制する規制手段として機能するものである。
そして、穴部３ｅ及び咬合部２０ｅ１〜２０ｅ３（規制手段）は、フック３に所定値以上の回転力が付与されたときには、穴部３ｅ及び咬合部２０ｅ１〜２０ｅ３（規制手段）の規制に抗するように、取付具２に対してフック３が回転軸Ｍを中心に回転するように構成されている。
すなわち、フック３がある程度大きな力（手動回転できる程度の力である。）で回転されようとすると、多少の抵抗はあるものの、その力で取付具２に対してフック３が回転されることになる。これに対して、そのような力よりも小さな力でフック３が回転されそうになっても、穴部３ｅ及び咬合部２０ｅ１〜２０ｅ３（規制手段）の抵抗によって、取付具２に対してフック３が回転されないことになる。
ここで、穴部３ｅは、フック３の中空部３ａの内周面に、略半球状に形成されたものである。また、咬合部２０ｅ１〜２０ｅ３は、取付具２の外周面において穴部３ｅが咬合するように周状に間隔（短いピッチである。）をあけて複数形成された略半球状の突起である。
このように構成することにより、まず、図１２（Ａ）に示すように、嵌合部２０ａに被嵌合部３ｂが衝突しないように、取付具２にフック３がセットされた状態からフック３が回転される。そして、図１２（Ｂ）に示すように、嵌合部２０ａに被嵌合部３ｂが噛合する位置であって、３つの咬合部２０ｅ１〜２０ｅ３のうちの１つ（図１２（Ｂ）の例では、２番目の咬合部２０ｅ２である。）が穴部３ｅに咬合する位置で、取付具２に対するフック３の位置が定められることになる。こうして、取付具付きフック１の組み付けが完了することになる。
このとき、壁面５０に対して取付具２が回転方向に僅かに傾いて固定されてしまっても、３つの咬合部２０ｅ１〜２０ｅ３のうち穴部３ｅに咬合させるものを変えることで、壁面５０に対してフック３を回転軸方向に大きく傾けることなく取付具２に位置決めして取付けることが可能になる。具体的に、取付具２が図１２（Ｂ）の反時計方向に傾いた状態で壁面５０に固定された場合には、３つの咬合部２０ｅ１〜２０ｅ３のうち左側の咬合部２０ｅ１が穴部３ｅに咬合する位置で、取付具２に対するフック３の位置が定められることになる。
なお、取付具２に対してフック３の回転方向の位置決めをするための規制手段は、変形例３に記載したような形状のものに限定されず、例えば、咬合部が周方向の一部ではなくて周方向全域に形成されたものを用いることもできる。さらに、フック３の中空部３ａの内周面に形成された略半球状の突起部と、その突起部が咬合するように取付具２の外周面において周状に間隔をあけて形成された複数の略半球状の咬合部と、によって規制手段を構成することもできる。
そして、変形例３のように取付具付きフック１を構成した場合であっても、本実施の形態のものと同様の効果を得ることができる。
【００３３】
以上説明したように、本実施の形態における取付具付きフック１は、壁面５０（被取付面）に取付け可能に形成された取付具２と、取付具２に取付け可能に形成されたフック３と、が設けられている。そして、取付具２には、その外周面に嵌合部２０ａが設けられている。また、フック３は、取付具２を覆う中空部３ａが形成されていて、壁面５０に対して略直交する回転軸Ｍを中心に回転させることにより嵌合部２０ａに嵌合する被嵌合部３ｂが設けられている。
これにより、フック３の脱落が生じにくく、フック３が斜めに取付けられにくく、見映えの良い、取付具付きフック１を提供することができる。
【００３４】
なお、本実施の形態では、フック３や取付具２（金属材料からなるピン釘２２や釘２３は除く。）を、いずれも、樹脂材料で形成した。これに対して、フック３と取付具２とのうち、少なくとも一方（又は、その一部）を、金属材料など他の材料で形成することもできる。特に、フック３（又は、その表面）を金属材料で形成した場合には、取付具付きフック１全体としての高級感を出すことが可能になる。また、フック３の表面に、滑り止めのための塗装（表面処理）などを施すこともできる。
そして、そのような場合であっても、本実施の形態のものとほぼ同様の効果を得ることができる。
【００３５】
なお、本発明が本実施の形態に限定されず、本発明の技術思想の範囲内において、本実施の形態の中で示唆した以外にも、実施の形態は適宜変更され得ることは明らかである。また、上記構成部材の数、位置、形状等は本実施の形態に限定されず、本発明を実施する上で好適な数、位置、形状等にすることができる。
【符号の説明】
【００３６】
１  取付具付きフック、
２  取付具、
３  フック、
３ａ  中空部、
３ｂ  被嵌合部、
３ｃ  凹部、
３ｄ  フック部、
３ｅ  穴部、
２０  中継部材、
２０ａ  嵌合部、
２０ｂ  凹状部、
２０ｃ  釘穴、
２０ｅ１〜２０ｅ３  咬合部、
２１  取付具本体、
２１ａ  ピン穴、
２２  ピン釘（石膏ボード用釘）、
２３  釘（コンクリート用釘）、
３０  取付具本体、
３０ａ  嵌合部、
３０ｃ  釘穴、
３０ｄ  ピン穴、
５０  壁面（被取付面）、
１００  被吊下げ部材。
【先行技術文献】
【特許文献】
【００３７】
【特許文献１】特開２００９−２４７８１９号公報
【特許文献２】特開２０１５−２４１０９号公報
【図１】
2020062316.tif 000003
【図２】
2020062316.tif 000004
【図３】
2020062316.tif 000005
【図４】
2020062316.tif 000006
【図５】
2020062316.tif 000007
【図６】
2020062316.tif 000008
【図７】
2020062316.tif 000009
【図８】
2020062316.tif 000010
【図９】
2020062316.tif 000011
【図１０】
2020062316.tif 000012
【図１１】
2020062316.tif 000013
【図１２】
2020062316.tif 000014